(57)【要約】  本発明の排ガス浄化設備１は、排ガスに含まれる可燃性有害成分を吸脱着可能な吸着体を備えた吸着除去装置２と、この吸着除去装置から排出される可燃性有害成分を含む排出エアを燃焼して前記可燃性有害成分を浄化する蓄熱式排ガス浄化装置４と、吸着除去装置から排出される排出エアを前記蓄熱式排ガス浄化装置に供給する配管３４であって、この配管の上流から順に排出エアの供給を遮断する遮断ダンパ３６、外気を配管内に取り込む外気取入ダンパ３８が配設されている配管と、蓄熱式排ガス浄化装置の複数組のダンパ１８ａ，１８ｂ，２０ａ，２０ｂが同時に開状態になるとき、外気取入ダンパを開状態として外気を配管内に取り込み、遮断ダンパを閉状態として吸着除去装置の吸着体への脱着用エアの供給を中断するように、外気取入ダンバ及び遮断ダンパを操作して、取り込まれた外気を開状態のダンパのそれぞれに対して通過させるようにした制御装置３２と、を有する。
2014034742.tif 000002
【特許請求の範囲】
【請求項１】
排ガスに含まれる可燃性有害成分を吸脱着可能な吸着体を備えた吸着除去装置であって、可燃性有害成分を含む排ガスを吸着体に供給してこの吸着体により可燃性有害成分を吸着して排ガスから除去すると共に、前記吸着体に高温の脱着用エアを供給して前記吸着体に吸着された可燃性有害成分を脱着する前記吸着除去装置と、
この吸着除去装置から排出される可燃性有害成分を含む排出エアを燃焼して前記可燃性有害成分を浄化する蓄熱式排ガス浄化装置であって、この蓄熱式排ガス浄化装置が、偶数個の蓄熱室及びこれらの偶数個の蓄熱室と接続された燃焼室を備え、偶数個の蓄熱室にそれぞれ一対ずつ設けられた複数組のダンパを連動させて開閉して、偶数個の蓄熱室のいずれかから供給された前記排出エアを燃焼室において燃焼させてこの排出エアに含まれる可燃性有害成分を浄化する前記蓄熱式排ガス浄化装置と、
前記吸着除去装置から排出される排出エアを前記蓄熱式排ガス浄化装置に供給し、前記蓄熱式排ガス浄化装置の各蓄熱室に接続される配管であって、この配管の上流から順に、排出エアの供給を遮断する遮断ダンパ、外気を配管内に取り込む外気取入ダンパ、及び、排出エアを供給するための送風機が、配設されている前記配管と、
前記複数組のダンパが同時に開状態になるとき、前記外気取入ダンパを開状態として外気を配管内に取り込み、前記遮断ダンパを閉状態として前記吸着除去装置の吸着体への脱着用エアの供給を中断するように、前記外気取入ダンバ及び前記遮断ダンパを操作して、取り込まれた外気を前記開状態のダンパのそれぞれに対して通過させるようにした制御装置と、を有する排ガス浄化設備。
【請求項２】
前記吸着除去装置から排出される排出エアに含まれる可燃性有害成分の濃度が、前記吸着除去装置に供給される前記排ガスに含まれる可燃性有害成分の濃度よりも高濃度である請求項１に記載の排ガス浄化設備。
【請求項３】
更に、前記排出エア中の可燃性有害成分の濃度を測定する濃度計を有し、前記制御装置は、この濃度計により測定された前記排出エア中の可燃性有害成分の濃度が、あらかじめ設定された濃度以上のときには、前記外気取入ダンパを操作して、前記外気取入ダンパから外気を取り入れて可燃性有害成分を希釈する請求項１又は２に記載の排ガス浄化設備。
【請求項４】
排ガスに含まれる可燃性有害成分を吸脱着可能な吸着体を備えた吸着除去装置と、
この吸着除去装置から排出される可燃性有害成分を含む排出エアを燃焼して前記可燃性有害成分を浄化する蓄熱式排ガス浄化装置であって、偶数個の蓄熱室と、これらの偶数個の蓄熱室と接続された燃焼室と、偶数個の蓄熱室にそれぞれ一対ずつ設けられた複数組のダンパとを備えた前記蓄熱式排ガス浄化装置と、
前記吸着除去装置から排出される排出エアを前記蓄熱式排ガス浄化装置に供給し、前記蓄熱式排ガス浄化装置の各蓄熱室に接続される配管であって、この配管の上流から順に、排出エアの供給を遮断する遮断ダンパ、外気を配管内に取り込む外気取入ダンパ、及び、排出エアを供給するための送風機が、配設されている前記配管と、を有する排ガス浄化設備の運転制御方法であって、
可燃性有害成分を含む排ガスを前記吸着除去装置の吸着体に供給してこの吸着体により可燃性有害成分を吸着して排ガスから除去すると共に、前記吸着体に高温の脱着用エアを供給して前記吸着体に吸着された可燃性有害成分を脱着する工程と、
前記吸着除去装置から排出される排出エアを前記配管により前記蓄熱式排ガス処理装置に供給する工程と、
前記蓄熱式排ガス処理装置の複数組のダンパを連動させて開閉して、偶数個の蓄熱室のいずれかから供給された前記排出エアを燃焼室において燃焼させてこの排出エアに含まれる可燃性有害成分を浄化する工程と、
前記複数組のダンパが同時に開状態になるとき、前記外気取入ダンパを開状態として外気を配管内に取り込み、前記遮断ダンパを閉状態として前記吸着除去装置の吸着体への脱着用エアの供給を中断して、取り込まれた外気を前記開状態のダンパのそれぞれに対して通過させる工程と、
を有する排ガス浄化設備の運転制御方法。
【請求項５】
前記吸着除去装置から排出される排出エアに含まれる可燃性有害成分の濃度が、前記吸着除去装置に供給される前記排ガスに含まれる可燃性有害成分の濃度よりも高濃度である請求項４に記載の排ガス浄化設備の運転制御方法。
【請求項６】
前記排ガス浄化設備は、前記排出エア中の可燃性有害成分の濃度を測定する濃度計を有し、更に、この濃度計により測定された前記排出エア中の可燃性有害成分の濃度が、あらかじめ設定された濃度以上のときには、前記外気取入ダンパから外気を取り入れて可燃性有害成分を希釈する工程を有する請求項４又は５に記載の排ガス浄化設備の運転制御方法。
【発明の詳細な説明】
【技術分野】
【０００１】
本発明は、可燃性有害成分を含有する排ガスを浄化するための排ガス浄化設備及びその運転制御方法に関する。
【背景技術】
【０００２】
各種の生産設備や処理設備から排出された可燃性悪臭成分あるいは揮発性有機化合物などの可燃性有害成分を含有する排ガスは、公害防止の観点から、通常排ガス浄化設備に供給されて無害化されたのちに大気に放出されている。【０００３】
この排ガス浄化設備の一例が特許文献１に記載されている。この特許文献１の排ガス浄化設備においては、可燃性有害成分を含有する排ガスを、複数個の蓄熱室を有する蓄熱式排ガス浄化装置のこれら複数の蓄熱室にそれぞれ設けられた複数対のダンパをそれぞれ連動させて開閉して、可燃性有害成分を含有して吸着除去装置から排出された高温エアを、複数個の蓄熱室に対して供給・排出してその可燃性有害成分を燃焼除去するようになっている。
【先行技術文献】
【特許文献】
【０００４】
【特許文献１】特開２００９−１８３０３号公報
【発明の概要】
【発明が解決しようとする課題】
【０００５】
しかし、上述した従来の排ガス浄化設備では、蓄熱式排ガス浄化装置の複数対のダンパを連動させて開閉する際に、これらのダンパを同時に開状態にする必要があり、この結果、吸着除去装置から排出された可燃性有害成分を含有する高温の脱着用エアが、その可燃性有害成分を燃焼除去されることなく蓄熱式排ガス浄化装置を通過して大気中に排出されるというおそれがあった。【０００６】
そこで、本発明は、上記の従来技術の問題点を解決するためになされたものであり、排ガス浄化設備の蓄熱式排ガス浄化装置の複数組のダンパを連動させて開閉する際に、これらのダンパが同時に開状態となるときに、可燃性有害成分を含有する排ガスがその可燃性有害成分を燃焼除去されずに大気中に排出されることのない排ガス浄化設備及びその運転制御方法を提供することを目的とする。
【課題を解決するための手段】
【０００７】
上記の目的を達成するために、本発明の第１の発明は、排ガスに含まれる可燃性有害成分を吸脱着可能な吸着体を備えた吸着除去装置であって、可燃性有害成分を含む排ガスを吸着体に供給してこの吸着体により可燃性有害成分を吸着して排ガスから除去すると共に、吸着体に高温の脱着用エアを供給して吸着体に吸着された可燃性有害成分を脱着する吸着除去装置と、この吸着除去装置から排出される可燃性有害成分を含む排出エアを燃焼して可燃性有害成分を浄化する蓄熱式排ガス浄化装置であって、この蓄熱式排ガス浄化装置が、偶数個の蓄熱室及びこれらの偶数個の蓄熱室と接続された燃焼室を備え、偶数個の蓄熱室にそれぞれ一対ずつ設けられた複数組のダンパを連動させて開閉して、偶数個の蓄熱室のいずれかから供給された排出エアを燃焼室において燃焼させてこの排出エアに含まれる可燃性有害成分を浄化する蓄熱式排ガス浄化装置と、吸着除去装置から排出される排出エアを蓄熱式排ガス浄化装置に供給し、蓄熱式排ガス浄化装置の各蓄熱室に接続される配管であって、この配管の上流から順に、排出エアの供給を遮断する遮断ダンパ、外気を配管内に取り込む外気取入ダンパ、及び、排出エアを供給するための送風機が、配設されている配管と、複数組のダンパが同時に開状態になるとき、外気取入ダンパを開状態として外気を配管内に取り込み、遮断ダンパを閉状態として吸着除去装置の吸着体への脱着用エアの供給を中断するように、外気取入ダンバ及び遮断ダンパを操作して、取り込まれた外気を開状態のダンパのそれぞれに対して通過させるようにした制御装置と、を有する。
このように構成された本発明によれば、複数組のダンパの開閉の切換が行われる際にダンパが同時に開状態になるときは、外気取入ダンパを開状態として可燃性有害成分を含まない外気を取り込み、遮断ダンパを閉状態として吸着体に対する高温の脱着用エアの供給を中断するとともに、導入した外気を開状態のダンパのそれぞれに対して通過させるので、可燃性有害成分を含有する排出エアがその可燃性有害成分を燃焼除去されずに大気中に排出されることを防止することができる。【０００８】
本発明の第１の発明において、好ましくは、吸着除去装置から排出される排出エアに含まれる可燃性有害成分の濃度が、吸着除去装置に供給される前記排ガスに含まれる可燃性有害成分の濃度よりも高濃度である。
このように構成された本発明によれば、吸着除去装置から排出される排出エアに含まれる可燃性有害成分の濃度が、吸着除去装置に供給される前記排ガスに含まれる可燃性有害成分の濃度よりも高濃度であるので、蓄熱式排ガス浄化装置により可燃性有害成分を効率的に燃焼除去することができる。【０００９】
本発明の第１の発明は、好ましくは、更に、排出エア中の可燃性有害成分の濃度を測定する濃度計を有し、制御装置は、この濃度計により測定された排出エア中の可燃性有害成分の濃度が、あらかじめ設定された濃度以上のときには、外気取入ダンパを操作して、外気取入ダンパから外気を取り入れて可燃性有害成分を希釈する。
このように構成された本発明によれば、排出エア中の可燃性有害成分の濃度があらかじめ設定された濃度以上である場合には、外気取入ダンパから外気を取り入れて希釈するので、排気エアの可燃性有害成分の濃度が高すぎて爆発などが発生することを防止することができる。【００１０】
本発明の第２の発明は、排ガスに含まれる可燃性有害成分を吸脱着可能な吸着体を備えた吸着除去装置と、この吸着除去装置から排出される可燃性有害成分を含む排出エアを燃焼して可燃性有害成分を浄化する蓄熱式排ガス浄化装置であって、偶数個の蓄熱室と、これらの偶数個の蓄熱室と接続された燃焼室と、偶数個の蓄熱室にそれぞれ一対ずつ設けられた複数組のダンパとを備えた前記蓄熱式排ガス浄化装置と、吸着除去装置から排出される排出エアを蓄熱式排ガス浄化装置に供給し、蓄熱式排ガス浄化装置の各蓄熱室に接続される配管であって、この配管の上流から順に、排出エアの供給を遮断する遮断ダンパ、外気を配管内に取り込む外気取入ダンパ、及び、排出エアを供給するための送風機が、配設されている配管と、を有する排ガス浄化設備の運転制御方法であって、可燃性有害成分を含む排ガスを吸着除去装置の吸着体に供給してこの吸着体により可燃性有害成分を吸着して排ガスから除去すると共に、吸着体に高温の脱着用エアを供給して吸着体に吸着された可燃性有害成分を脱着する工程と、吸着除去装置から排出される排出エアを前記配管により蓄熱式排ガス処理装置に供給する工程と、蓄熱式排ガス処理装置の複数組のダンパを連動させて開閉して、偶数個の蓄熱室のいずれかから供給された排出エアを燃焼室において燃焼させてこの排出エアに含まれる可燃性有害成分を浄化する工程と、複数組のダンパが同時に開状態になるとき、外気取入ダンパを開状態として外気を配管内に取り込み、遮断ダンパを閉状態として吸着除去装置の吸着体への脱着用エアの供給を中断して、取り込まれた外気を開状態のダンパのそれぞれに対して通過させる工程と、を有する。【００１１】
本発明の第２の発明において、好ましくは、吸着除去装置から排出される排出エアに含まれる可燃性有害成分の濃度が、吸着除去装置に供給される排ガスに含まれる可燃性有害成分の濃度よりも高濃度である。【００１２】
本発明の第２の発明において、好ましくは、排ガス浄化設備は、排出エア中の可燃性有害成分の濃度を測定する濃度計を有し、更に、この濃度計により測定された排出エア中の可燃性有害成分の濃度が、あらかじめ設定された濃度以上のときには、外気取入ダンパから外気を取り入れて可燃性有害成分を希釈する工程を有する。
【図面の簡単な説明】
【００１３】
【図１】本発明の実施形態による排ガス浄化設備を示す全体構成図である。
【図２】本発明の実施形態による排ガス浄化設備の制御装置を示すブロック図である。
【図３】本発明の実施形態による蓄熱式排ガス浄化装置の変更例を示す説明図である。
【図４】本発明の他の実施形態による排ガス浄化設備を示す全体構成図である。
【発明を実施するための形態】
【００１４】
以下、添付図面を参照して、本発明の実施形態による排ガス浄化設備及びその運転制御方法を説明する。
【００１５】
先ず、図１及び図２を参照して、本発明の実施形態による排ガス浄化設備及びその運転制御方法を説明する。
図１に示すように、符号１は、本発明の実施形態による排ガス浄化設備１を示し、この排ガス浄化設備１は、吸着除去装置である連続再生式濃縮装置２と、この連続再生式濃縮装置２から排出された排出エアの可燃性有害成分を燃焼除去する蓄熱式排ガス浄化装置４と、を備えている。
【００１６】
連続再生式濃縮装置２は、可燃性有害成分を吸脱着可能な吸着体６と、この吸着体６に対して高温である脱着用エアを供給し、吸着体６から可燃性有害成分を除去するための脱着用エア供給装置８と、を備えている。ここで、排ガスに含有されている可燃性有害成分とは、トルエン、酢酸エチルなどの可燃性悪臭成分あるいは揮発性有機化合物などをいう。
【００１７】
連続再生式濃縮装置２には内部に排ガスを送り込む送風機１０が接続されており、排ガスが吸着体６に供給されるようになっている。
【００１８】
一方、蓄熱式排ガス浄化装置４は、偶数個の蓄熱室、即ち、蓄熱室１塔１２及び蓄熱室２塔１４の２つの蓄熱室と、これら蓄熱室の間に設けられ且つ接続された燃焼室１６と、を備えている。蓄熱室１塔１２は、蓄熱室１塔１２にガスを供給する供給ダンパ１８ａと蓄熱室１塔１２からガスを排出する排出ダンパ２０ａと、を備えている。蓄熱室２塔１４は、蓄熱室２塔１４にガスを供給する供給ダンパ１８ｂと蓄熱室２塔１４からガスを排出する排出ダンパ２０ｂと、を備えている。なお、図１では、供給ダンパ１８ａ及び排出ダンパ２０ｂが開状態、供給ダンパ１８ｂ及び排出ダンパ２０ａが閉状態である場合を示している。
【００１９】
連続再生式濃縮装置２の吸着体６は、活性炭やゼオライトなどの吸着剤を担持した回転可能な円筒状に形成されている。吸着体６は、回転方向に順に、排ガスから可燃性有害成分を吸着除去する吸着ゾーン６ａ、吸着体６から吸着された可燃性有害成分を除去する再生ゾーン６ｂ及び吸着体１を冷却する冷却ゾーン６ｃを備え、回転により可燃性有害成分を連続的に吸脱着することができるようになっている。
【００２０】
吸着体６の冷却ゾーン６ｃでは、送風機１０により連続再生式濃縮装置２に送り込まれた排ガスの一部により、吸着体６の冷却が行われるようになっている。冷却ゾーン６ｃは、ダクト２２を介して、上述した脱着用エア供給装置８に接続されている。
【００２１】
脱着用エア供給装置８は、混合チャンバー２４と、供給ダクト２６と、を備えている。
混合チャンバー２６は、ホットバイパスダンパ２８を介して蓄熱式排ガス浄化装置４の燃焼室１６に接続されており、供給ダクト２６を介して吸着体６の再生ゾーン６ｂに接続されている。
【００２２】
冷却ゾーン６ｃから排出されたエアは、ダクト２２を介して混合チャンバー２４に送られ、混合チャンバー２４においてホットバイパスダンパ２８を介して燃焼室１６から供給される高温ガスと混合、加熱され、供給ダクト２６を介して吸着体６の再生ゾーン６ｂに、吸着体６に吸着された可燃性有害成分を吸着体６から脱着するための脱着用エアとして供給される。
【００２３】
ここで、供給ダクト２６には、温度センサ３０が設けられており、この温度センサ３０で測定された温度に基づいて、制御装置３２（図２参照）が、ホットバイパスダンパ２８の開度を調整し、冷却ゾーン６ｃから排出されたエアと燃焼室１６から供給される高温ガスとの混合比を制御できるようになっている。
【００２４】
再生ゾーン６ｂの下流には、吸着体６の再生ゾーン６ｂにおいて除去した可燃性有害成分を含有する排出エアを排出する排出ダクト３４が接続されている。
【００２５】
排出ダクト３４の下流には、遮断ダンパ３６が接続してあり、吸着体６の再生ゾーン６ｂから排出された排出エアの通過・遮断の切換が可能となっている。
【００２６】
遮断ダンパ３６の下流には、外気を排出ダクト３４内に取り入れ可能な外気取入ダンパ３８が設けられ、さらに、外気取入ダンパ３８の下流には送風機４０が設けられている。排出エアは、この送風機４０の吸引力により送風される。
【００２７】
上述したように、排出ダクト３４には、上流から、遮断ダンパ３６、外気取入ダンパ３８、送風機４０が配設されており、蓄熱室１塔１２及び蓄熱室２塔１４に分岐して接続される二股ダクト４２及び２個の供給ダンパ１８ａ，１８ｂを介して蓄熱式排ガス浄化装置４の蓄熱室１塔１２及び蓄熱室２塔１４の排ガス供給口にそれぞれ接続されている。
【００２８】
蓄熱室１塔１２及び蓄熱室２塔１４の排ガス排出口は、２個の排出ダンパ２０ａ，２０ｂ及び二股ダクト４４を介して排気ダクト４６に接続されている。
【００２９】
排気ダクト４６は、開閉可能なホットバイパスダンパ４８により燃焼室１６と接続されている。蓄熱室１塔１２及び蓄熱室２塔１４にそれぞれ温度センサ５０，５２が設けられており、これらの温度センサ５０，５２により測定された温度が、所定の温度を超えた場合には、制御装置３２により、ホットバイパスダンパ４８を開状態とし、排気ダクト４６から余剰な熱を逃がすことができるようになっている。
【００３０】
排出ダクト３４には、可燃性有害成分の濃度を測定する濃度計５４が装着してあり、この濃度計５４により測定された可燃性有害成分の濃度により、制御装置３２（図２参照）が遮断ダンパ３６の開閉を制御するようになっている。
【００３１】
また、燃焼室１６には、バーナ５６及び燃焼室１６内の温度を測定する温度センサ５８が設けられている。このバーナ５６の点火及び消火の制御は上述した温度センサ５０，５２により測定された温度に基づいて行われる。また、温度センサ５８は、燃焼室１６の温度の異常上昇を検知するようになっている。
【００３２】
さらに、二股ダクト４２及び二股ダクト４４には、それぞれ、温度センサ６０，６２が設けられている。
【００３３】
ここで、図２に示すように、温度センサ３０、濃度計５４、温度センサ５０，５２、温度センサ５８、及び、温度センサ６０，６２により測定された測定値は、制御装置３２に入力され、これらの測定値に基づいて、後述するように、制御装置３２により、ホットバイパスダンパ２８、遮断ダンパ３６、ホットバイパスダンパ４８、バーナ５６、及び、供給ダンパ１８ａ，１８ｂ及び排出ダンパ２０ａ，２０ｂが制御されるようになっている。
【００３４】
次に、上述した本実施形態による排ガス浄化設備における運転制御方法を説明する。
【００３５】
可燃性有害成分を含有する排ガスを送風機１０により連続再生式濃縮装置２に送り込むと、排ガスは回転する吸着体６の吸着ゾーン６ａにおいて可燃性有害成分が吸着除去された後に外気に排出される。
【００３６】
吸着体６に吸着された可燃性有害成分は、回転により再生ゾーン６ｂに送られ、再生ゾーン６ｂにおいて、脱着用エア供給装置８の供給ダクト２６から供給される脱着用エアによって吸着体６から脱着除去される。吸着体６から除去された可燃性有害成分は脱着用エア中に含有され、可燃性有害成分を含有する排出エアとして排出ダクト３４へ排出される。ここで、排出エアは、連続再生式濃縮装置２に供給される排ガスよりも可燃性有害成分を高濃度で含有している。
【００３７】
再生ゾーン６ｂにおいて加熱された吸着体６は、冷却ゾーン６ｃにおいて排ガスにより冷却されて可燃性有害成分を効率的に吸着可能な状態となる。
【００３８】
冷却ゾーン６ｃから排出されたエアは、混合チャンバー２４において燃焼室１６から供給される高温ガスと混合され加熱された後、供給ダクト２６を介して吸着体６の再生ゾーン６ｂに供給される。
【００３９】
排出ダクト３４へ排出された可燃性有害成分を含有する排出エアは、開状態の遮断ダンパ３６を経由し、外気取入ダンパ３８、送風機４０、二股ダクト４２及び開状態の供給ダンパ１８ａを順に通過して蓄熱式排ガス浄化装置４の蓄熱室１塔１２に供給される。
【００４０】
排出エアは蓄熱室１塔１２で加熱された後に燃焼室１６に流入して可燃性有害成分を燃焼除去され浄化される。燃焼室１６にはバーナ１０ａが設けられているので、可燃性有害成分を十分に燃焼除去できる温度に燃焼室１６の温度を維持することができる。浄化されたガスは、蓄熱室２塔１４において蓄熱した後に開状態の排気ダンパ２０ｂ及び二股ダクト４４を順次通過して排気ダクト４６から排出される。
【００４１】
ここで、蓄熱式排ガス浄化装置４では、蓄熱室１塔１２及び蓄熱室２塔１４において蓄熱される排熱を有効利用するために、一定時間排出ガスを処理した後に排出ガスの流れる方向を切換る必要がある。つまり、蓄熱室１塔１２→燃焼室１６→蓄熱室２塔１４の順で流れる排出ガスが、蓄熱室２塔１４→燃焼室１６→蓄熱室１塔１２の順で流れるように、供給ダンパ１８ａ、１８ｂ及び排出ダンパ２０ａ，２０ｂの開閉状態を切換る必要がある。
【００４２】
排出ガスの流れる方向の切換は、処理時間ではなく、二股ダクト４２に設けられた温度センサ６０により測定された排気ガス入口温度Ｔ１と二股ダクト４４に設けられた温度センサ６２により測定された排気ガス出口温度Ｔ２との差に基づいて行うようにしてもよい。
【００４３】
供給ダンパ１８ａ，１８ｂ及び排出ダンパ２０ａ，２０ｂの切換は、以下の手順で行う。まず、外気取入ダンパ３８を開状態とし外気を取り込む。
【００４４】
次に、ホットバイパスダンパ２８及び遮断ダンパ３６を閉状態とし、吸着体６に対する脱着用エアの供給を中断する。続いて、供給ダンパ１８ａ及び排出ダンパ２０ｂを閉じるとともに、供給ダンパ１８ｂ及び排出ダンパ２０ａを開いて、ガスの流通方向を切換る。
【００４５】
切換完了後には、ホットバイパスダンパ２８及び遮断ダンパ３６を開状態として吸着体６に対する脱着用エアの供給を再開し、外気取入ダンパ３８を閉状態として外気の取り込みを停止する。これにより、排出エアは開状態の供給ダンパ１８ｂから蓄熱室２塔１４を経て燃焼室１６に流入して可燃性有害成分を燃焼除去され、可燃性有害成分を除去され浄化されたガスは、蓄熱室１塔１２、開状態の排出ダンパ２０及び二股ダクト４４を順次通過して排気ダクト４６から排出されるようになる。
【００４６】
供給ダンパ１８ａ及び排出ダンパ２０ｂが閉状態、供給ダンパ１８ｂ及び排出ダンパ２０ａが開状態から、供給ダンパ１８ａ及び排出ダンパ２０ｂが開状態、供給ダンパ１８ｂ及び排出ダンパ２０ａが閉状態に切換る場合も同様の手順となる。
【００４７】
このように供給ダンパ１８ａ，１８ｂ及び排出ダンパ２０ａ，２０ｂを連動させて開閉し、切換が行われる際に、供給ダンパ１８ａ，１８ｂ及び排出ダンパ２０ａ，２０ｂが同時に開状態となるときには、遮断ダンパ３６を閉状態として吸着体６に対する脱着用エアの供給を中断するとともに、外気取入ダンパ３８を開状態として可燃性有害成分を含まない外気を取り込み、導入した外気を開状態の供給ダンパ１８ａ，１８ｂ及び排出ダンパ２０ａ，２０ｂそれぞれに対して通過させることができるので、可燃性有害成分を含有する排出エアがその可燃性有害成分を燃焼除去されずに大気中に排出されることを防止することができる。また、簡単な構造及び少ない操作で迅速に供給ダンパ１８ａ，１８ｂ及び排出ダンパ２０ａ，２０ｂの切換を行うことができる。
【００４８】
なお、ホットバイパスダンパ２８を閉状態にせずに、供給ダンパ１８ａ，１８ｂ及び排出ダンパ２０ａ，２０ｂを連動させて開閉し、切換を行うこともできる。
【００４９】
排出エアにおける可燃性有害成分の濃度を濃度計５４により測定し、測定された濃度があらかじめ設定された濃度以上となった場合には、外気取入ダンパ３８の開度を調節して、外気を排出エアに供給して可燃性有害成分を希釈することができる。これにより、蓄熱式排ガス浄化装置４において、排出エアの可燃性有害成分の濃度が高すぎて爆発などが発生することを防止することができる。
【００５０】
上述した本発明の実施形態による排ガス浄化設備１及びこの排ガス浄化設備１の運転制御方法によれば、複数組のダンパ、即ち、供給ダンパ１８ａ，１８ｂ及び排出ダンパ２０ａ，２０ｂの開閉の切換が行われる際に、切換対象であるダンパが同時に開状態になってしまうときには、外気取入ダンパ３８を開状態として外気を取り込み、遮断ダンパ３６を閉状態として吸着体に対する高温の脱着用エアの供給を中断するとともに、導入した外気を開状態のダンパのそれぞれに対して通過させることができるので、可燃性有害成分を含有する排出エアがその可燃性有害成分を燃焼除去されずに大気中に排出されることを防止することができる。
【００５１】
次に、図３を参照して、本発明の実施形態の変形例による排ガス浄化設備及びその運転制御方法を説明する。
【００５２】
上述した実施形態による排ガス浄化設備は、蓄熱式排ガス浄化装置が４個以上の偶数個の蓄熱室を備えている場合でも適用可能である。ここで、偶数個の蓄熱室を備えた蓄熱式排ガス浄化装置は、パージを行うための蓄熱室を備えていない構造となっている。
図３に示すように、この変形例による蓄熱式排ガス浄化装置は、４つの蓄熱室１塔７０、蓄熱室２塔７２、蓄熱室３塔７４及び蓄熱室４塔７６を備えている。この蓄熱式排ガス浄化装置では、以下のようにダンパの切換を行う。なお、蓄熱室３塔７４及び蓄熱室４塔７６は、蓄熱室１塔７０及び蓄熱室２塔７２と同様な構造であり、供給ダンパ１８ｃ、排出ダンパ２０ｃ及び温度センサ７８と、供給ダンパ１８ｄ、排出ダンパ２０ｄ及び温度センサ８０と、をそれぞれが備えている。
【００５３】
ここでは、開状態のダンパのみを示し、残りのダンパは閉状態とする。
（Ａ）開状態：供給ダンパ１８ａ，１８ｂ、排出ダンパ２０ｃ，２０ｄ
ガスの流れ：蓄熱室１塔７０、蓄熱室２塔７２→燃焼室１６→蓄熱室３塔７４、蓄熱室４塔７６
（Ｂ）開状態：供給ダンパ１８ｂ，１８ｃ、排出ダンパ２０ａ，２０ｄ
ガスの流れ：蓄熱室２塔７２、蓄熱室３塔７４→燃焼室１６→蓄熱室１塔７０、蓄熱室４塔７６
（Ｃ）開状態：供給ダンパ１８ｃ，１８２３ｄ、排出ダンパ２０ａ，２０ｂ
ガスの流れ：蓄熱室３塔７４、蓄熱室４塔７６→燃焼室１６→蓄熱室１塔７０、蓄熱室２塔７２
（Ｄ）開状態：供給ダンパ１８ａ，１８ｄ、排出ダンパ２０ｂ，２０ｃ
ガスの流れ：蓄熱室１塔７０、蓄熱室４塔７６→燃焼室１６→蓄熱室２塔７６、蓄熱室３塔７４
【００５４】
このように、偶数個の蓄熱室を備えた蓄熱式排ガス浄化装置において、パージを行うための蓄熱室を設けなくても、可燃性有害成分を含有する排出エアがその可燃性有害成分を燃焼除去されずに大気中に排出されることを防止することができる。これにより、排ガス浄化設備をより小型化することができる。また、燃焼室を小さくすることができるので、温度維持のための燃料を削減することができる。
【００５５】
次に、図４により、本発明の他の実施形態による排ガス浄化設備を説明する。この他の実施形態による排ガス浄化設備の基本構造は、図１に示した本発明の実施形態による排ガス浄化設備と同じであるので、同一部分には同一符号を付し、説明は省略する。以下、主に異なる部分を説明する。
【００５６】
本発明の他の実施形態による排ガス浄化設備８０は、連続式再生式濃縮装置を有さず、蓄熱式排ガス浄化装置４を備えている。このため、排ガス浄化設備８０は、各種の生産設備や処理設備等の上流側設備（図示せす）から排出された可燃性有害成分を含む排ガスが、直接、排出ダクト３４に排出され、この排出ダクト３４を経て、蓄熱式排ガス浄化装置４へ供給されるようになっている。
【００５７】
排出ダクト３４の遮断ダンパ３６の上流側には、排ガスを一時的に貯留する貯留タンク８２が設けられ、この貯留タンク８２には開閉弁８４が取り付けられている。この開閉弁８４は、通常は、閉状態に保持されている。
【００５８】
排ガス浄化設備８０も、図１の実施形態による設備と同様に、供給ダンパ１８ａ，１８ｂ及び排出ダンパ２０ａ，２０ｂが同時に開状態になるときには、外気取入ダンパ３８を開状態とし、外気を排出ダクト３４内に取り込み、遮断ダンパ３６を閉状態として上流側設備からの排ガスが蓄熱式排ガス浄化装置４へ供給されないようにしている。これにより、取り込まれた外気が開状態の供給ダンパ１８ａ，１８ｂ及び排出ダンパ２０ａ，２０ｂを通過するようになっている。
【００５９】
このとき、貯留タンク８２を開状態とすることにより、上流側設備からの排ガスを一時的に貯留タンク８２に貯留するようにしている。この結果、本実施形態による排ガス浄化設備８０においては、ダンパの全てが開状態のときであっても、上流側設備の運転を休止する等の必要がない。
【００６０】
本実施形態による排ガス浄化装置８０によれば、連続式再生式濃縮装置を設けない場合であっても、上流側設備から排出される可燃性有害成分を含む排ガスを貯留タンク８２により一時的に貯留することができるので、ダンパが同時に開状態となるときに、可燃性有害成分を含有する排ガスがその可燃性有害成分を燃焼除去されずに大気中に排出されることのない。
【符号の説明】
【００６１】
１  排ガス浄化設備
２  連続再生式濃縮装置（吸着除去装置）
４  蓄熱式排ガス浄化装置
６  吸着体
１２  蓄熱室１塔
１４  蓄熱室２塔
１６  燃焼室
２８ａ，２８ｂ，２８ｃ，２８ｄ  供給ダンパ
３０ａ，３０ｂ，３０ｃ，３０ｄ  排出ダンパ
３２  制御装置
３４  排出ダクト
３６  遮断ダンパ
３８  外気取入ダンパ
４０  送風機
４２，４４  二股ダクト
４６  排気ダクト
５４  濃度計
【図１】
2014034742.tif 000003
【図２】
2014034742.tif 000004
【図３】
2014034742.tif 000005
【図４】
2014034742.tif 000006
【国際調査報告】
2014034742.tif 000007
2014034742.tif 000008
2014034742.tif 000009
2014034742.tif 000010